(57)【要約】【課題】ユーザに対して、ライブビュー画像に画像効果を付す動作モードが開始されたことを明確に知らしめる。【解決手段】電子カメラ２００は、画像効果を付加する絞り、シャッタスピード、露出補正、明暗差調整などのパラメータの設定値が自動調整され、ライブビュー画像を表示モニタ２１に逐次表示させる第１のライブビュー表示モードを有する。また、電子カメラ２００は、操作部材２６による所定のパラメータの選択と選択されたパラメータの設定値の設定を受け付けて、選択されなかったパラメータに対して自動調整を行い、画像効果が付加されたライブビュー画像を表示モニタ２１に逐次表示させる第２のライブビュー表示モードを有する。電子カメラ２００のＣＰＵ１８は、第１ライブビュー表示モードの処理を終了して第２ライブビュー表示モードの処理を開始するとき、選択されたパラメータの設定値を所定の初期値に設定する。【選択図】図１
2018057024.tif 000002
【特許請求の範囲】
【請求項１】
画像効果の設定値が自動調整された第１の画像を表示部に表示する第１の表示制御部と、
前記設定値を選択する選択部と、
前記選択部により選択された前記設定値による第２の画像を前記表示部に表示する第２の表示制御部と、
前記第１の表示制御部による表示を終了して前記第２の表示制御部による表示を開始すると、前記設定値を前記第１の画像の前記設定値とは異なる値に設定する設定部と、
を備える撮像装置。
【発明の詳細な説明】
【技術分野】
【０００１】
本発明は撮像装置に関する。
【背景技術】
【０００２】
モニタ用のスルー画像（以後、「ライブビュー画像」とする）に絞りによる画像効果を付加して、ユーザが自分の好みを反映したライブビュー画像を表示するぼかし調整モードを有する撮像装置が知られている（特許文献１参照）。特許文献１の撮像装置では、そのぼかし調整モードを開始する前、絞りの設定はオート制御されている。そして、ぼかし調整モードを開始するとき、直前の絞りの設定がロックされる。ぼかし調整モード中は、ユーザが絞りの設定を変更することができて、その設定変更により表示されるライブビュー画像が変化する。そして、ぼかし調整モードを終了するとき、絞りの設定は再びオート制御に戻される。
【先行技術文献】
【特許文献】
【０００３】
【特許文献１】特開２０１１−２２３２９６号公報
【発明の概要】
【発明が解決しようとする課題】
【０００４】
従来技術では、ユーザに対して、ライブビュー画像に画像効果を付す動作モードが開始されたことを知らしめることができない。
【課題を解決するための手段】
【０００５】
本発明による撮像装置は、画像効果を付加する複数のパラメータの設定値が自動調整され、第１の表示用画像を表示部に逐次表示させる第１のライブビュー表示手段と、複数のパラメータの中から第１パラメータを選択する選択手段と、選択手段により選択された第１パラメータの設定値の設定を受け付け、複数のパラメータのうち第１パラメータを除く第２パラメータに対して自動調整を行い、第２の表示用画像を表示部に逐次表示させる第２のライブビュー表示手段と、第１のライブビュー表示手段の処理を終了して第２のライブビュー表示手段の処理を開始するとき、第１パラメータの設定値を所定の初期値に設定する制御手段と、を備えることを特徴とする。
【発明の効果】
【０００６】
ユーザに対して、ライブビュー画像に画像効果を付す動作モードが開始されたことを知らしめることができる。
【図面の簡単な説明】
【０００７】
【図１】本発明の第１の実施の形態による撮像装置の回路構成を例示するブロック図である。
【図２】本発明の第１の実施の形態における初期化処理に関するフローチャートである。
【図３】本発明の第１の実施の形態における初期化処理に関するフローチャートである。
【図４】本発明の第２の実施の形態における初期化処理に関するフローチャートである。
【図５】本発明の第３の実施の形態における記憶処理に関するフローチャートである。
【図６】本発明の第３の実施の形態における初期化処理に関するフローチャートである。
【発明を実施するための形態】
【０００８】
（第１の実施の形態）
図１は、本発明の第１の実施の形態による撮像装置の回路構成を例示するブロック図である。図１に例示される電子カメラ２００は、撮影レンズ７と、絞り８と、絞り駆動部９と、撮像素子１０と、アナログ信号処理回路１１と、Ａ／Ｄ変換回路１２と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１３と、ドライバ１６と、タイミングジェネレータ（ＴＧ）１７と、ＣＰＵ１８と、ＲＡＭ１９と、ＲＯＭ２０と、表示モニタ２１と、メインスイッチ２２と、半押しスイッチ２３と、全押しスイッチ２４と、測光装置２５と、操作部材２６と、記録媒体２７とを備える。
【０００９】
撮影レンズ７は、ズームレンズやフォーカシングレンズを含む複数のレンズ群で構成され、被写体像を撮像素子１０の受光面に結像させる。なお、図１では、図を簡単にするため、撮影レンズ７は単レンズとして図示されている。絞り８は、複数枚の絞り羽根（不図示）から形成され、撮像素子１０に受光させる光束の光量を調整する。絞り駆動部９は、ＣＰＵ１８から送信された絞り値に基づいて、絞り羽根（不図示）を駆動する。
【００１０】
なお、図１に示す電子カメラ２００は、撮影レンズ７がカメラと一体的に形成された（撮影レンズが着脱不能な）デジタルカメラである。しかしながら後述する構成は、カメラボディと、そのカメラボディに着脱可能な交換レンズからなるカメラシステムに適用することも可能である。その場合、図１に図示された構成のうち撮影レンズ７、絞り８、絞り駆動部９が交換レンズ側の構成となり、その他の構成がカメラボディ側の構成となる。
【００１１】
撮像素子１０は、撮像面上に撮像画素を有する。撮像画素は、撮像素子１０の撮像面上に、例えばベイヤ配列に従い配置されている。撮像素子１０の撮像面には撮影レンズ７によって被写体像が結像される。撮像素子１０の各画素は、シャッタスピードの間露光して、被写体像の明るさに応じた信号電荷が蓄積される。
【００１２】
撮像素子１０は、内部発振装置１０ａを内蔵する。内部発振装置１０ａは、所定のフレームレートで駆動信号を発生させる。撮像素子１０に蓄積された信号電荷は、内部発振装置１０ａまたは後述するドライバ１６が出力する駆動信号に従って読み出されて、アナログ信号処理回路１１に出力される。撮像画素に蓄積された信号電荷は、ライブビュー画像、各種圧縮形式で圧縮された記録用画像の生成などに用いられる。
【００１３】
アナログ信号処理回路１１は、ＡＧＣ回路やＣＤＳ回路などを含み、撮像素子１０から読み出された信号電荷に対するアナログ信号処理（ゲインコントロール、ノイズ除去など）を行い、撮像信号を出力する。Ａ／Ｄ変換回路１２は、アナログ信号処理回路１１によるアナログ信号処理後の撮像信号をデジタル信号に変換して、ＡＳＩＣ１３に出力する。なお、アナログ信号処理回路１１およびＡ／Ｄ変換回路１２は、撮像素子１０と一体的に形成することができる。
【００１４】
ＡＳＩＣ１３は、ＲＡＭ１９を作業領域として、Ａ／Ｄ変換回路１２から出力されるデジタル信号に対して露出補正や明暗差調整などの画像処理を行い、ライブビュー画像、各種圧縮形式で圧縮された記録用画像などを出力する。
【００１５】
露出補正とは、電子カメラ２００のＣＰＵ１８が自動露出制御により定めた適正露出から露出を変更して、画像の明るさを変更することである。露出補正の強度は、零を中心値とする所定の範囲の値に設定することができる。
【００１６】
明暗差調整とは、デジタル信号が表す画像のハイライト部の白とびを抑え、シャドー部の黒つぶれを軽減するための画像処理である。明暗差調整の強度には「強」、「中」、「弱」などの段階があり、「中」が中間値である。
【００１７】
タイミングジェネレータ１７は、ＣＰＵ１８の制御のもと、タイミング信号を発生させる。タイミング信号は、アナログ信号処理回路１１、Ａ／Ｄ変換回路１２、およびドライバ１６のそれぞれに供給される。ドライバ１６は、タイミング信号を用いて駆動信号を生成し、その駆動信号を撮像素子１０へ出力する。
【００１８】
ＣＰＵ１８は、マイクロコンピュータなどによって構成され、ＲＡＭ１９を作業領域として用いてＲＯＭ２０に記憶された制御プログラムを実行して、電子カメラ２００の各部を制御する。例えば、自動露出制御、オートフォーカス処理等が実行される。
【００１９】
ＲＡＭ１９は、ＡＳＩＣ１３、ＣＰＵ１８等が各部の処理を実行する際に一時的にデータを格納する作業用メモリである。ＲＯＭ２０は、例えばＥＥＰＲＯＭ、フラッシュメモリ等の不揮発性メモリであって、電子カメラ２００の制御プログラムや設定情報等を記憶している。表示モニタ２１は、例えば液晶モニタであって、ライブビュー画像、メニュー画面、後述する記録媒体２７に保存された記録画像などが表示される。表示モニタ２１に表示される表示データは、ＣＰＵ１８により生成される。
【００２０】
メインスイッチ２２は、オン操作またはオフ操作に応じた操作信号をＣＰＵ１８へ出力する。ＣＰＵ１８は、オン操作信号を受けた場合に不図示の電源回路から各ブロックへ電源供給を開始させ、オフ操作信号を受けた場合には該電源回路から各ブロックへの電源供給を停止させる。
【００２１】
半押しスイッチ２３および全押しスイッチ２４は、レリーズボタン（不図示）の押下操作に連動してオン／オフされ、それぞれが操作信号をＣＰＵ１８へ出力する。半押しスイッチ２３は、レリーズボタン（不図示）が通常ストロークの半分程度まで押し下げ操作されると半押し信号を出力する。そして、半押しスイッチ２３は、半ストロークの押し下げ操作解除により半押し信号の出力が解除される。
【００２２】
全押しスイッチ２４は、レリーズボタン（不図示）が通常ストロークまで押し下げ操作されると全押し信号を出力する。そして、全押しスイッチ２４は、通常ストロークの押し下げ操作が解除されると全押し信号の出力が解除される。
【００２３】
測光装置２５は、ＣＰＵ１８に対して半押しスイッチ２３の半押し信号が入力されたとき、被写体の輝度を算出する。操作部材２６は、スイッチ等であって、電子カメラ２００の動作モードを変更するときや、後述する第２ライブビューモードにおいて画像効果の設定値を設定するときなどに用いられる。記録媒体２７は、たとえば、フラッシュメモリカードなどのデータストレージ部材によって構成され、記録用画像などが保存される。
【００２４】
（電子カメラ２００の動作モード）
電子カメラ２００は、第１ライブビュー表示モードと、第２ライブビュー表示モードと、撮影モードなどの動作モードを有する。ＡＳＩＣ１３は、各動作モードに対応した画像データを、Ａ／Ｄ変換回路１２から出力されたデジタル信号に基づいて生成する。
【００２５】
電子カメラ２００の動作モードが第１ライブビュー表示モードのとき、ＡＳＩＣ１３は、Ａ／Ｄ変換回路１２から出力されたデジタル信号に基づいて、ライブビュー画像を生成する。そして、そのライブビュー画像を表示モニタ２１に逐次表示する。第１ライブビュー表示モードでは、絞り、シャッタスピード、露出補正、明暗差調整などのパラメータの設定値は、オート制御により自動的に調整される。
【００２６】
電子カメラ２００の動作モードが第２ライブビュー表示モードのとき、ＡＳＩＣ１３は、Ａ／Ｄ変換回路１２から出力されたデジタル信号に基づいて、画像効果が付加されたライブビュー画像を生成する。そして、そのライブビュー画像を表示モニタ２１に逐次表示する。第２ライブビュー表示モードのときにライブビュー画像に付加される画像効果は、例えば絞りによる画像効果、シャッタスピードによる画像効果、露出補正による画像効果、明暗差調整による画像効果などがある。
【００２７】
電子カメラ２００の動作モードが撮影モードのとき、ＡＳＩＣ１３は、Ａ／Ｄ変換回路１２から出力されたデジタル信号と、絞り、シャッタスピード、露出補正、明暗差調整などのパラメータとに基づいて、記録媒体２７に記録するための記録用画像を生成する。撮影者は、記録用画像に付加される画像効果を、第２ライブビュー表示モードにおいて表示モニタ２１に逐次表示されるライブビュー画像により予め確認することができる。
【００２８】
ＣＰＵ１８は、電子カメラ２００の動作モードが第１ライブビュー表示モードであるとき、操作部材２６を用いて動作モードを第２ライブビュー表示モードに切り替えられると、第１ライブビュー表示モードの処理を終了して第２ライブビュー表示モードの処理を開始する。また、ＣＰＵ１８は、電子カメラ２００の動作モードが第２ライブビュー表示モードであるとき、操作部材２６を用いて動作モードを第１ライブビュー表示モードに切り替えられると、第２ライブビュー表示モードの処理を終了して第１ライブビュー表示モードの処理を開始する。ＣＰＵ１８は、第１ライブビュー表示モードまたは第２ライブビュー表示モードの処理の実行中に全押し信号が出力されたとき、電子カメラ２００を撮影モードに移行させる。
【００２９】
第２ライブビュー表示モードの処理を開始したとき、ＣＰＵ１８は、操作部材２６による操作を受け付けて、ライブビュー画像に付加させる画像効果を選択させる。ユーザが絞りによる画像効果を選択した場合、表示モニタ２１には絞り値を設定するための設定画面と、その設定画面を介して設定された絞り値による画像効果が付加されたライブビュー画像とが逐次表示される。ユーザは、設定画面を用いて絞り値を調整しながらライブビュー画像を見て、撮影モードにおいて記録用画像に付加される絞りによる画像効果を確認することができる。例えば、ユーザが背景をぼかして特定の被写体を強調した画像を記録したい場合に、ユーザは絞り値が小さく設定されたライブビュー画像を見ることにより背景のぼけ具合などを確認することができる。
【００３０】
ユーザがシャッタスピードによる画像効果を付加するモードを選択した場合、表示モニタ２１にはシャッタスピードを設定するための設定画面と、その設定画面を介して設定されたシャッタスピードによる画像効果が付加されたライブビュー画像とが逐次表示される。ユーザは、設定画面を用いてシャッタスピードを調整しながらライブビュー画像を見て、撮影モードにおいて記録用画像に付加されるシャッタスピードによる画像効果を確認することができる。例えば、ユーザが長秒時撮影を行って被写体の動きが表現された画像を記録したい場合に、ユーザは長いシャッタスピードが設定されたライブビュー画像を見ることにより記録用画像において表現される被写体の動きを撮影前に確認することができる。設定画面において、設定可能なシャッタスピードの範囲は予め定められている。設定画面で設定可能なシャッタスピードの最長値、換言すると第２ライブビュー表示モードにおいて設定可能な最低速秒時は、例えば１／２ｓｅｃである。また、設定画面で設定可能なシャッタスピードの最短値、換言すると第２ライブビュー表示モードにおいて設定可能な最高速秒時は、例えば１／４０００ｓｅｃである。第２ライブビュー表示モードでは、第１ライブビュー表示モードにおいて設定可能なシャッタスピードの最長値よりも長いシャッタスピードに設定することができる。
【００３１】
ユーザが露出補正による画像効果を付加するモードを選択した場合、表示モニタ２１には露出補正の強度を設定するための設定画面と、その設定画面を介して設定された強度の露出補正による画像効果が付加されたライブビュー画像とが逐次表示される。ユーザは、設定画面を用いて露出補正の強度を調整しながらライブビュー画像を見て、撮影モードにおける記録用画像の明るさを撮影前に確認することができる。
【００３２】
ユーザが明暗差調整による画像効果を付加するモードを選択した場合、表示モニタ２１には明暗差調整の強度を設定するための設定画面と、その設定画面を介して設定された強度の明暗差調整による画像効果が付加されたライブビュー画像とが逐次表示される。ユーザは、設定画面を用いて明暗差調整の強度を調整しながら画像効果が付加されたライブビュー画像を見て、撮影モードにおいて記録用画像に付加される明暗差調整による画像効果を確認することができる。例えば、ユーザは、黒つぶれや白とびの画像領域の有無、明暗差調整により画像に現れるノイズ（ざらつき、むら、すじ）などを撮影前に確認することができる。
【００３３】
ＣＰＵ１８は、第１ライブビュー表示モードを終了して第２ライブビュー表示モードを開始するときと、第２ライブビュー表示モードを終了して第１ライブビュー表示モードを開始するときとにおいて、絞り、シャッタスピード、露出補正、明暗差調整の各パラメータの設定値または強度（以後、総じて設定値と称する）を初期化する。
【００３４】
ＣＰＵ１８は、第１ライブビュー表示モードを終了して第２ライブビュー表示モードを開始するとき、ライブビュー画像に付加する画像効果に関わるパラメータの設定値を所定の初期値に設定して、画像効果に関わるパラメータ以外のパラメータの設定値をオート制御により設定する。オート制御とは、ライブビュー画像や記録用画像において適正露出が保たれるように、ユーザにより設定されたパラメータを除く他のパラメータの設定値をＣＰＵ１８が算出して設定する制御である。また、ユーザにより設定されたパラメータが無い場合は、測光装置２５により算出された被写体の輝度を基に、各パラメータの設定値をＣＰＵ１８が算出して設定する制御である。
【００３５】
また、ＣＰＵ１８は、第２ライブビュー表示モードを終了して第１ライブビューモードを開始するとき、絞り、シャッタスピード、露出補正、明暗差調整の各パラメータの設定値の初期値として、オート制御により算出された値に設定する。
【００３６】
図２は、第１のライブビュー表示モードが終了して第２ライブビュー表示モードを開始するときに実行されるパラメータの設定値の初期化処理に関するフローチャートである。図２に示す処理は、ＣＰＵ１８により実行される。
【００３７】
ステップＳ１００では、ＣＰＵ１８は、ライブビュー画像に付加させる画像効果として、どのパラメータが選択されたかを判断する。ＣＰＵ１８は、絞りによる画像効果が選択された場合、処理をステップＳ１０１に進める。ＣＰＵ１８は、シャッタスピードによる画像効果が選択された場合、処理をステップＳ１０２に進める。ＣＰＵ１８は、露出補正による画像効果が選択された場合、処理をステップＳ１０３に進める。ＣＰＵ１８は、明暗差調整による画像効果が選択された場合、処理をステップＳ１０４に進める。
【００３８】
ステップＳ１０１では、ＣＰＵ１８は、絞り値の初期値を開放絞り値に設定して、シャッタスピード、露出補正、および明暗差調整の各パラメータにおける設定値の初期値をオート制御により算出された値に設定する。その後、初期化処理を終了して、第２ライブビュー表示モードの処理を開始する。絞り値の初期値を開放絞り値に設定することにより被写界深度が浅くなり、ライブビュー画像において背景が顕著にぼけて電子カメラ２００に近い特定の被写体が強調されるため、ユーザに対して第１ライブビュー表示モードから第２ライブビュー表示モードに変更されたことを知らしめることができる。
【００３９】
ステップＳ１０２では、ＣＰＵ１８は、設定画面を介して設定可能なシャッタスピードの最長値（前述の例では、１／２ｓｅｃ）に設定して、絞り、露出補正、および明暗差調整の各パラメータにおける設定値の初期値をオート制御により算出された値に設定する。その後、初期化処理を終了して、第２ライブビュー表示モードの処理を開始する。設定画面を介して設定可能な最長値にシャッタスピードを設定することにより、ライブビュー画像において被写体の動きが表現された長秒時撮影の効果が顕著に現れるため、ユーザに対して第１ライブビュー表示モードから第２ライブビュー表示モードに変更されたことを知らしめることができる。
【００４０】
ステップＳ１０３では、ＣＰＵ１８は、露出補正による画像効果が付加されたライブビュー画像の生成を開始するときは、露出補正の強度を中間値である零に設定して、絞り、シャッタスピード、および明暗差調整の各パラメータにおける設定値の初期値をオート制御により算出された値に設定する。その後、初期化処理を終了して、第２ライブビュー表示モードの処理を開始する。
【００４１】
ステップＳ１０４では、ＣＰＵ１８は、明暗差調整による画像効果が付加されたライブビュー画像の生成を開始するときは、明暗差調整の強度を中に設定して、絞り、シャッタスピード、および露出補正の各パラメータにおける設定値の初期値をオート制御により算出された値に設定する。その後、初期化処理を終了して、第２ライブビュー表示モードの処理を開始する。
【００４２】
図３は、第２のライブビュー表示モードが終了して第１のライブビュー表示モードを開始するときに実行されるパラメータの設定値の初期化処理に関するフローチャートである。図３のステップＳ２００では、ＣＰＵ１８は、絞り、シャッタスピード、露出補正、明暗差調整の各パラメータにおける設定値の初期値をオート制御により算出された値に設定する。その後、図３の初期化処理を終了して、第１ライブビュー表示モードの処理を実行する。
【００４３】
（第２の実施の形態）
本発明の第２の実施の形態について説明する。第２の実施の形態における電子カメラは、第１の実施の形態における電子カメラ２００と同一の構成を備え、第１ライブビュー表示モードを終了して第２ライブビュー表示モードを開始するときに実行する処理についても第１の実施の形態と同一である。第２の実施の形態では、第１ライブビュー表示モードの処理を終了して第２のライブビューモードの処理を開始する場合に、第１ライブビュー表示モードの処理を終了する直前に絞り、シャッタスピード、露出補正、明暗差調整の各パラメータの設定値をＲＡＭ１９に記憶する点と、第２ライブビュー表示モードを終了して第１のライブビューモードを開始するときにＲＡＭ１９に記憶された各パラメータの設定値を初期値に設定する点が第１の実施の形態と異なる。
【００４４】
第２の実施の形態では、第１ライブビュー表示モードと第２ライブビュー表示モードとで共通して用いられる共通メモリ領域がＲＡＭ１９に確保される。この共通メモリ領域には、絞り、シャッタスピード、露出補正、明暗差調整の各パラメータの設定値をそれぞれ一つずつ記憶することができる。共通メモリ領域に記憶された各パラメータの設定値は、第１ライブビュー表示モードや第２ライブビュー表示モードの処理が終了した後であっても参照可能に維持される。ＣＰＵ１８は、第１ライブビュー表示モードの処理を終了して第２のライブビューモードの処理を開始する場合、第１ライブビュー表示モードの処理を終了する直前に絞り、シャッタスピード、露出補正、明暗差調整の各パラメータの設定値をＲＡＭ１９内の共通メモリ領域に記憶する。
【００４５】
図４は、第１のライブビュー表示モードを開始するときに実行される各パラメータにおける設定値の初期化処理に関するフローチャートである。図４に示す処理は、ＣＰＵ１８により実行される。
【００４６】
ステップＳ３００では、ＣＰＵ１８は、ＲＡＭ１９の共通メモリ領域に各パラメータの設定値が記憶されているか否かを判定する。メインスイッチ２２のオン操作が行われてから最初に第１のライブビュー表示モードの動作を開始する場合、各パラメータの設定値がＲＡＭ１９の共通メモリ領域に記憶されていないため、ステップＳ３００は否定判定される。一方で、第１ライブビュー表示モードを終了して第２ライブビュー表示モードを開始して、更にその第２ライブビュー表示モードを終了して第１ライブビュー表示モードを再開する場合は、各パラメータの設定値がＲＡＭ１９の共通メモリ領域に記憶されているため、ステップＳ３００は肯定判定される。ＣＰＵ１８は、ステップＳ３００が肯定判定された場合、つまり第１のライブビュー表示モードを終了して第２のライブビュー表示モードが開始されるときのように、各パラメータの設定値がＲＡＭ１９に記憶されている場合はステップＳ３０１に処理を進め、ステップＳ３００が否定判定された場合、つまりメインスイッチ２２のオン操作が行われてから最初に第１のライブビュー表示モードの動作を開始するときのように、各パラメータの設定値がＲＡＭ１９に記憶されていない場合はステップＳ３０２に処理を進める。
【００４７】
ステップＳ３０１では、ＣＰＵ１８は、ＲＡＭ１９の共通メモリ領域に記憶されている設定値を絞り、シャッタスピード、露出補正、明暗差調整の各パラメータにおける設定値の初期値に設定する。その後、図４の初期化処理を終了して、第１ライブビュー表示モードの処理を実行する。
【００４８】
ステップＳ３０２では、ＣＰＵ１８は、絞り、シャッタスピード、露出補正、明暗差調整の各パラメータにおける設定値の初期値をオート制御に算出された値を初期値として設定する。その後、図４の初期化処理を終了して、第１ライブビュー表示モードの処理を実行する。
【００４９】
（第３の実施の形態）
本発明の第３の実施の形態について説明する。第３の実施の形態における電子カメラは、第１の実施の形態における電子カメラ２００と同一の構成を備える。第３の実施の形態では、第２ライブビュー表示モードの処理を終了して第１ライブビュー表示モードの処理を開始するときに絞り、シャッタスピード、露出補正、明暗差調整の各パラメータの設定値をＲＡＭ１９内に記憶する点と、第２ライブビュー表示モードの処理を終了して第１のライブビューモードの処理を開始するときにその各パラメータの設定値をＲＡＭ１９に記憶した値に戻す点が第１の実施の形態と異なる。
【００５０】
第３の実施の形態においても、ＲＡＭ１９には、第１ライブビュー表示モードと第２ライブビュー表示モードとで共通して用いられる共通メモリ領域が確保されている。第３の実施の形態では、この共通メモリ領域に、絞り、シャッタスピード、露出補正、および明暗差調整のパラメータのうちいずれか一つのパラメータの設定値と、そのパラメータの種類とが記憶される。
【００５１】
図５は、第２ライブビュー表示モードの処理を終了して第１ライブビュー表示モードの処理を開始するときにＣＰＵ１８が実行するパラメータの記憶処理に関するフローチャートである。
ステップＳ４００では、ＣＰＵ１８は、ライブビュー画像に付加させる画像効果としてどのパラメータが選択されたかを判断する。ＣＰＵ１８は、絞りによる画像効果を付加するモードが選択されている場合、処理をステップＳ４０１に進める。ＣＰＵ１８は、シャッタスピードによる画像効果を付加するモードが選択されている場合、処理をステップＳ４０２に進める。ＣＰＵ１８は、露出補正による画像効果を付加するモードが選択されている場合、処理をステップＳ４０３に進める。ＣＰＵ１８は、明暗差調整による画像効果を付加するモードが選択されている場合、処理をステップＳ４０４に進める。
【００５２】
ステップＳ４０１では、ＣＰＵ１８は、パラメータが絞りであることを表す情報と、絞り値の設定値とをＲＡＭ１９の共通メモリ領域に記憶する。その後、図５の記憶処理を終了して、図６で詳述する初期化処理を実行する。
【００５３】
ステップＳ４０２では、ＣＰＵ１８は、パラメータがシャッタスピードであることを表す情報と、シャッタスピードの設定値とをＲＡＭ１９の共通メモリ領域に記憶する。その後、図５の記憶処理を終了して、図６で詳述する初期化処理を実行する。
【００５４】
ステップＳ４０３では、ＣＰＵ１８は、パラメータが露出補正であることを表す情報と、露出補正の強度の設定値とをＲＡＭ１９の共通メモリ領域に記憶する。その後、図５の記憶処理を終了して、図６で詳述する初期化処理を実行する。
【００５５】
ステップＳ４０４では、ＣＰＵ１８は、パラメータが明暗差調整であることを表す情報と、明暗差調整の強度の設定値とをＲＡＭ１９の共通メモリ領域に記憶する。その後、図５の記憶処理を終了して、図６で詳述する初期化処理を実行する。
【００５６】
ステップＳ４０１でＲＡＭ１９の共通メモリ領域に記憶されたパラメータが絞りであることを表す情報と、パラメータがシャッタスピードであることを表す情報と、パラメータが露出補正であることを表す情報と、パラメータが明暗差調整であることを表す情報のことを、以降パラメータの種別を表す情報と称する。
【００５７】
図６は、第１ライブビュー表示モードを開始するときにＣＰＵ１８が実行するパラメータの初期化処理に関するフローチャートである。図６に示す処理は、ＣＰＵ１８により実行される。
【００５８】
ステップＳ５００では、ＣＰＵ１８は、ＲＡＭ１９の共通メモリ領域にパラメータの種別を表す情報が記憶されているか否かを判定する。メインスイッチ２２のオン操作が行われてから最初に第１のライブビュー表示モードの動作を開始する場合、図５に示した処理が実行されていないため、ステップＳ５００は否定判定される。一方で、第１ライブビュー表示モードを終了して第２ライブビュー表示モードを開始して、更にその第２ライブビュー表示モードを終了して第１ライブビュー表示モードを再開する場合は、第２ライブビュー表示モードを終了するときに図５に示した処理が実行されているため、ステップＳ５００は肯定判定される。ＣＰＵ１８は、ステップＳ５００が肯定判定された場合はステップＳ５０１に処理を進め、ステップＳ５００が否定判定された場合はステップＳ５０２に処理を進める。
【００５９】
ステップＳ５０１では、ＣＰＵ１８は、ＲＡＭ１９の共通メモリに記憶されているパラメータの種別を表す情報に基づいて、その種別が表すパラメータの設定値を、共通メモリに記憶されている設定値に変更する。そして、ＣＰＵ１８は、ＲＡＭ１９の共通メモリに記憶されていないパラメータの初期値をオート制御によって算出された値に設定する。その後、図６の初期化処理を終了して、第１ライブビュー表示モードの処理を実行する。
【００６０】
ステップＳ５０２では、ＣＰＵ１８は、絞り、シャッタスピード、露出補正、明暗差調整の各パラメータにおける設定値の初期値を、オート制御により算出した値に設定する。その後、初期化処理を終了する。その後、図６の初期化処理を終了して、第１ライブビュー表示モードの処理を実行する。
【００６１】
以上で説明した実施の形態によれば、以下の作用効果が得られる。
本発明の第１〜第３の実施の形態において、電子カメラ２００は、絞りとシャッタスピードと露出補正と明暗差調整を含む複数のパラメータに対して自動調整を行い、ライブビュー画像を表示モニタ２１に逐次表示させる第１ライブビュー表示モードと、画像効果を付加したライブビュー画像を表示モニタ２１に逐次表示させる第２ライブビュー表示モードとを有する。電子カメラ２００のＣＰＵ１８は、操作部材２６を用いた操作により第２ライブビュー表示モードにおいて付加する画像効果を選択させて、選択された画像効果に対応するパラメータを選択する。また、第２ライブビュー表示モードにおいて、選択された画像効果に対応するパラメータは操作部材２６により設定され、選択された画像効果に対応するパラメータ以外のパラメータは自動調整される。ＣＰＵ１８は、第１ライブビュー表示モードの処理を終了して第２ライブビュー表示モードの処理を開始するとき、選択された画像効果に対応するパラメータを所定の初期値に設定する（図２）。これにより、ユーザに対して、ライブビュー画像に画像効果を付す動作モードが開始されたことを知らしめることができる。
【００６２】
所定の初期値は、画像効果に対応したパラメータが絞り値であるときは開放絞り値である。絞り値を開放絞り値に設定することにより被写界深度が浅くなり、ライブビュー画像において背景が顕著にぼけるため、ユーザに第２ライブビュー表示モードに変更されたことを知らしめることができる。また、所定の初期値は、画像効果に対応したパラメータがシャッタスピードであるときは、シャッタスピードの設定に用いる設定画面で設定可能な最長値である。シャッタスピードを最長値に設定することにより、ライブビュー画像において長秒時撮影の効果が顕著に現れるため、ユーザに第２ライブビュー表示モードに変更されたことを知らしめることができる。
【００６３】
以上で説明した実施形態は、以下のように変形して実施できる。
〔変形例１〕
操作部材２６を用いた操作により、図２に示した初期化処理が実行されないように電子カメラ２００を設定してもよい。また、第１ライブビュー表示モードを終了して第２ライブビュー表示モードを開始するときに、第１ライブビュー表示モード終了時点のパラメータを初期値に用いることを選択可能に構成してもよい。
【００６４】
〔変形例２〕
第２ライブビュー表示モードにおいて、シャッタスピードによる画像効果をライブビュー画像に付加する方法は、如何なる方法であってもよい。たとえば、シャッタスピードを手動設定された値に変更して、そのシャッタスピードの間、撮像素子１０を露光してライブビュー画像を生成することにしてもよい。また、実際のシャッタスピードを変える代わりに、表示モニタ２１への表示フレームレートＦ［ｆｐｓ］で取得したフレーム画像を用いた後述する画像の重ね合わせ（合成）等のデジタル処理、換言すれば画像処理により、シャッタスピードによる画像効果が付加されたライブビュー画像を生成することにしてもよい。以降、手動設定されたシャッタスピードの間、撮像素子１０を露光してライブビュー画像を生成する方法を第１の生成方法と呼ぶ。また、フレーム画像を合成する等の画像処理により、シャッタスピードによる画像効果が付加されたライブビュー画像を生成する方法を第２の生成方法と呼ぶ。
【００６５】
第２の生成方法では、たとえば、シャッタスピードがＴ１［ｓｅｃ］に手動設定された場合に、Ｔ１＞１／Ｆのときは、ＡＳＩＣ１３がＴ１×Ｆフレーム連続して取得されたフレーム画像を重ね合わせて、換言すると連続して取得されたフレーム画像を合成して、シャッタスピードによる画像効果が付加されたライブビュー画像を生成する。また、シャッタスピードがＴ１［ｓｅｃ］に手動設定された場合に、Ｔ１≦１／Ｆのときは、ＡＳＩＣ１３がシャッタスピードＴ１で生成した各ライブビュー画像をそれぞれ１／Ｆ秒間表示する。
【００６６】
また、第２ライブビュー表示モードにおいて、ＣＰＵ１８が手動設定されたシャッタスピードに基づいて第１の生成方法と第２の生成方法とを切り替えて、シャッタスピードによる画像効果を付加したライブビュー画像を生成することにしてもよい。たとえば、シャッタスピードによる画像効果が付加されたライブビュー画像を第１の生成方法で生成することができる範囲内にシャッタスピードが手動設定された場合には第１の生成方法が選択され、シャッタスピードによる画像効果が付加されたライブビュー画像を第１の生成方法で生成することができない範囲内にシャッタスピードが手動設定された場合には第２の生成方法が選択されるようにすればよい。より具体的には、ＣＰＵ１８は、シャッタスピードが所定の閾値Ｔｈ、たとえば１／２［ｓｅｃ］以下の値に手動設定された場合には第１の生成方法に切り替えて、シャッタスピードが所定の閾値Ｔｈより大きい値に手動設定された場合には第２の生成方法に切り替えることにしてもよい。手動設定された設定値が所定の閾値Ｔｈ以下か否かに基づいて、第１の生成方法と第２の生成方法とを切り替えるようにすることで、第２ライブビュー表示モードで設定可能なパラメータの範囲を拡大することができる。なお、上の例では、閾値Ｔｈを１／２［ｓｅｃ］としたが、第１の生成方法でシャッタスピードによる画像効果を付加したライブビュー画像を生成することができる値であれば他の値を閾値としてもよい。
【００６７】
電子カメラ２００には、被写体に適した設定（シーンモード）が被写体の種類ごとに予め設けられている。電子カメラ２００には、たとえば、人物の撮影に適したポートレートモード、自然の風景や街並みの撮影に適した風景モード、夜景や暗闇での撮影に適した夜景モードなどが予め設けられている。ＣＰＵ１８は、これらのシーンモードごとに閾値Ｔｈを異ならせることにしてもよい。
【００６８】
また、ＣＰＵ１８は、電子カメラ１のシーンモードに応じて、第１の生成方法と第２の生成方法とを切り替えることにしてもよい。たとえば、電子カメラ２００のシーンモードが夜景モードに設定された場合には、第２の生成方法に切り替えることにしてもよい。夜景モードは、シャッタスピードは長秒時に設定される。電子カメラ２００が夜景モードに設定された場合には、第２の生成方法に切り替えることにより、夜景モードでユーザが撮影しようとしたライブビュー画像を表示モニタ２１に表示させることができるようになる。
【００６９】
また、第１の生成方法で生成したライブビュー画像を表示モニタ２１に逐次表示しているときに、第２の生成方法で生成したライブビュー画像をさらに表示モニタ２１に逐次表示することにしてもよい。このようにすることで、第１の生成方法でライブビュー画像を表示した場合と、第２の生成方法でライブビュー画像を表示した場合の差異をユーザに知らしめることができる。また、複数のシャッタスピードによる画像効果が付加されたライブビュー画像を同時に生成して表示することができるため、シャッタスピードの変更による影響をユーザに明瞭に知らしめることができる。
【００７０】
第１の生成方法で生成したライブビュー画像を表示モニタ２１に逐次表示しているときに第２の生成方法で複数のライブビュー画像を生成することにしてもよい。また、第１の生成方法で生成したライブビュー画像を表示モニタ２１に逐次表示しているときに第２の生成方法で生成するライブビュー画像は、サムネイル画像のように小さく表示することにしてもよい。たとえば、第１の生成方法で生成したライブビュー画像を表示モニタ２１に逐次表示しているときに、シャッタスピードを上限値に設定したときのライブビュー画像と下限値に設定したときのライブビュー画像とを第２の生成方法で生成して、それらのライブビュー画像を表示モニタ２１に逐次表示することにしてもよい。なお、シャッタスピードの上限値および下限値は、第１の生成方法でライブビュー画像を生成する際の上限値および下限値でもよいし、第２の生成方法でライブビュー画像を生成する際の上限値および下限値でもよい。
【００７１】
絞り値による画像効果をライブビュー画像に付加する場合も同様に、第２ライブビュー表示モードにおいて、絞り８の絞り値を手動設定された値に設定してライブビュー画像を生成することにしてもよいし、実際の絞り値の設定を変える代わりに画像処理でライブビュー画像をぼかすことにしてもよい。また、第２ライブビュー表示モードにおいて手動設定された絞り値に基づいて、実際に絞り８をその絞り値に設定してライブビュー画像を生成するのか、画像処理を用いてぼかしたライブビュー画像を生成するのかをＣＰＵ１８が切り替えることにしてもよい。二つの生成方法を切り替える閾値をシーンモード等に基づいて変更可能にしてもよい。また、実際に絞り８をその絞り値に設定して生成したライブビュー画像を表示モニタ２１に逐次表示しているときに、画像処理でぼかして生成したライブビュー画像をさらに表示モニタ２１に逐次表示することにしてもよい。
【００７２】
〔変形例３〕
第１ライブビュー表示モードを終了して第２ライブビュー表示モードを開始するときに設定されるライブビュー画像に付加する画像効果に関わるパラメータの初期値は、図２に示した値に限定されない。また、第１ライブビュー表示モードを終了して第２ライブビュー表示モードを開始するときに設定されるライブビュー画像に付加する画像効果に関わるパラメータの初期値を電子カメラ２００のシーンモードに基づいて変更することにしてもよい。たとえば、電子カメラ２００がポートレートモードに設定されている場合には、図２のステップＳ１０１で設定される絞り値の初期値を開放絞り値に設定し、風景モードに設定されている場合には、小絞りまたは小絞りに近い値に設定することにしてもよい。シーンモードごとに初期値を変えることにより、好適な撮影条件から第２ライブビュー表示モードによるライブビュー表示を開始することができる。
【００７３】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００７４】
１０  撮像素子
１３  ＡＳＩＣ
１９  ＲＡＭ
２１  表示モニタ
２６  操作部材
２７  記録媒体
２００  電子カメラ
【図１】
2018057024.tif 000003
【図２】
2018057024.tif 000004
【図３】
2018057024.tif 000005
【図４】
2018057024.tif 000006
【図５】
2018057024.tif 000007
【図６】
2018057024.tif 000008
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
画像に効果を付与するパラメータの設定値が自動的に設定される第１の画像と、前記設定値が調整可能に設定され、調整された前記設定値により画像に効果が付与された第２の画像を表示部に表示する制御を行う制御部と、
前記第２の画像の前記表示部への表示を終了すると前記設定値を記憶する記憶部と、
前記記憶部に前記パラメータが記憶された後に、前記制御部により前記表示部に表示される画像が前記第１の画像から前記第２の画像に変更されると、前記第２の画像の前記設定値として前記記憶部に記憶された前記設定値に設定する設定部と、
を備える撮像装置。
【請求項２】
請求項１に記載の撮像装置において、
前記記憶部は、前記画像の効果の種別を表す情報と前記設定値とを記憶する撮像装置。
【請求項３】
請求項１または２に記載の撮像装置において、
前記制御部は、前記第１の画像に設定された前記設定値を変更した前記第１の画像を表示する制御を行う撮像装置。
【請求項４】
請求項１から３のいずれか一項に記載の撮像装置において、
前記制御部は、前記第２の画像から前記第１の画像に変更すると、前記設定値を自動的に設定する撮像装置。
【請求項５】
請求項１から４のいずれか一項に記載の撮像装置において、
前記制御部は、前記第２の画像を表示する場合に前記設定値が前記記憶部に記憶されていないと、前記自動的に設定した設定値を設定する撮像装置。
【手続補正２】
【補正対象書類名】明細書
【補正対象項目名】０００５
【補正方法】変更
【補正の内容】
【０００５】
本発明による撮像装置は、画像に効果を付与するパラメータの設定値が自動的に設定される第１の画像と、前記設定値が調整可能に設定され、調整された前記設定値により画像に効果が付与された第２の画像を表示部に表示する制御を行う制御部と、前記第２の画像の前記表示部への表示を終了すると前記設定値を記憶する記憶部と、前記記憶部に前記パラメータが記憶された後に、前記制御部により前記表示部に表示される画像が前記第１の画像から前記第２の画像に変更されると、前記第２の画像の前記設定値として前記記憶部に記憶された前記設定値に設定する設定部と、を備える。